(57)【要約】【課題】人為、自然災害時、人体保全を確実に遂行するカプセルが存在しない。【解決する手段】原木丸太１を並列に配列し、その上下面に板を固定し短支柱原木丸太カプセル８は倒壊家屋時人の圧死を無くし、取り残されても、瞬時に屋外脱出可能な耐激耐圧に備えるカプセル、及びトンネル。【選択図】  図１
2017201096.tif 000002
【特許請求の範囲】
【請求項１】
短足支柱、各種素材、および原木丸太を人体の周りに支柱配備し、前記丸太支柱の高さは人間の腹厚み、又は人体移動可能な最短高さ支柱を採用し、外部面４面体〜６面体全体を防火素材、金属で多積層配備して、人体を保護する原木丸太カプセル
【請求項２】
並行配列の原木丸太上下面,その下部面には木製床を形成し、一方上部面には木製天井部を設けて４面体の寝室が完了する、前記、４面体の前後面の形成はトンネル形態として屋外方向に延長し,前後面端末に開閉配備を設けた原木丸太カプセル
【請求項３】
原木丸太カプセル、前記、原木丸太カプセル外面防火材、金属材多積層、内面防火多積層にて形成し前記、原木丸太カプセル４面体と５面体による多段構造物を形成し、防火、津波浸水時海面浮上機能を有し原木丸太カプセル内の人間を保全し、家屋倒壊時、室内より瞬時脱出装置が屋外方向に延長可能なカプセルトンネル
【発明の詳細な説明】
【技術分野】
【０００１】
本発明は、屋内外時、人為、自然災害からの、人身保全に関する。
【背景技術】
【０００２】
従来、地震災害時に地上では家屋倒壊、海上では津波被害などで木造住宅、鉄筋コンクリート構造物の倒壊のたびに、人間の死傷事故、行方不明者が発生する被害が起こる。この最大の要因は、建築物の耐用年数の超過など様々な、内的、外的要因があるが、一つには木造建築の家屋倒壊、深夜、睡眠中に起こる地震、家族が家屋内にいた場合。瞬時に木造建築の家屋倒壊する、構造的な欠点を有する。それと逃げ場所が現在の住宅には配備されていない、何よりも家屋倒壊を回避する手段を人民は築いていない、家屋倒壊時、火災時、津波時に身の保全を確保するカプセルが必要であり、高額な費用を必要とせず、自然の山林の樹木を活用、原木丸太支柱カプセルを室内に配備し家屋倒壊を防ぎ人間を守るための室内空間を確保し尚且つ衝撃加圧荷重に耐える人身保護が可能な総耐カプセルが求められている。特に重要なことは災害現場（屋内）から屋外への瞬間脱出が可能になる手段が求められている。
【０００３】
自然災害が起こり、家屋倒壊により住まいを失い、車中泊生活を送らなければならないなど生活基盤が失われると、仮設住宅を建設するまでの間、車の中での生活を送ることになる。しかしながら、体全身を伸ばすことが出来ないなど、不自然な姿勢を持続することで、熟睡が充分得ることが出来ないなど、日々の生活に支障をきたす原因になる。被災者が安心して睡眠を得る為の寝室空間を提供する屋外、室内兼用カプセルが求められている。
【０００４】
いかなる位置にいても、人為、自然災害から逃れ、身の安全を確保する手段を得る為の人身保全カプセルが存在しない為、現世時代（２０１６年５月４日）悲惨な事故時に死傷者が多発する。人民自らが上なる者に頼ることなく，自主的に思考革新をして理想社会を構築し、お上のいらない、そして不要な社会構築に向け知的啓蒙の位置に人民がその踊り場に集合すべきである。どのような災害にも対応できるカプセルを見いだせれば、辛苦なくなる。
【０００５】
各種避難カプセルが存在するが、地中固定をすれば、津波には活用できず、固定しない場合は地震時には、揺れが被害を拡大し、万能のカプセルが存在しないことは現世の世の自然災害、地震、津波、土石流災害が証明している。カプセル価格は高額であり、被災者には重荷となる。
【発明の概要】
【発明が解決しようとする課題】
【０００６】
上記記載した地震時、家屋倒壊、火災発生、津波被害など家屋内において死傷事故が起こることは何とも言えない悲劇である。地震災害時に家屋内で過ごす時間帯に、家屋倒壊、火災時、土砂、津波災害が発生して人間が取り残されても、屋外に短時間に脱出する方法を見いだせなければならない。すなわち災害現場から安全な位置に屋外脱出するこが短時間で可能にする、保身カプセルが求められている。そして東北地震時の津波災害に対する水難対策も確立する海面上を漂流しても海面が鎮まれば、津波被災者全員命を失うことなく互いの故郷に帰還できる人身保全カプセルが求められている。
【課題を解決するための手段】
【０００７】
人身を災害から保全する手段は、いとも簡単である、家屋内で発生する災害も、外的災害も要するに、人体の周囲に頑丈で、耐火、耐水、破壊耐圧に持ちこたえ、しかも水面に浮上機能を有するカプセルを構築すればよい。その条件を満たすには自然の樹木を活用する事に着目し、その性質を充分理解し災害対策用の人身保全カプセルを構築することがその目的に近づく唯一の選択肢である。樹木は一定の強度すなわち、耐激強度、引張、圧縮性に優れしかも意外と火災に強く、燃えにくい性質を有し、水面に浮上する機能を保有し、自然環境維持に対しても多くの利用価値が秘められている。その有利性を充分に活用すること、そして人民自身が有効活用し多用途活用カプセルによる多段層カプセルを構築し屋外配置をすれば従来の建築物構造物は不要となる。何事も最適な現場実践を確立する必要がある。上記記載の現世の世の悲劇、自然破壊現象に気づかず環境破壊の道程は常に人民の足のみ引く国家となる。すなわち自然の保全、心身の保全こそが身の安全を確定すべき事柄である。
（請求項１〜６に対応）
【０００８】
例えば、全長１５ｍの原木杉の根本、直径３０ｃｍを長さ４５センチの長さに輪切りして短い原木支柱を作る、約３３個支柱丸太が作られる。原木丸太を並列に配備し底部面、天井面を原木の両端小口に固定し、原木の周囲を囲うための外壁素材は原木丸太を製材すれば、外部板が形成され、板厚みの増減が任意で希望寸法の厚さを得ることができる。すなわち家屋荷重の耐用年数などを考慮して板の厚みを考慮して決定する。左原木、右原木の連結板は極力短いほうが、外部衝撃を回避するため人体収容原木丸太カプセル設計において、成人、子供、幼児用に対応すること。前記、全長１５ｍの原木より約３個の原木丸太カプセル支柱が得られる。注意点、原木を製材してできた、角柱よりも原木丸太の方が全てにおいて強度を示す
（請求項１〜６に対応）
【０００９】
原木丸太その外面で構成される、原木丸太カプセルの形状は４面体（底部面、天井面、左側面、右側面）、５面体（底部面、天井面、左側面、右側面、後部面）６面体（底部面、天井面、左側面、右側面、前後面）により形成され利用用途別に適応する形状を選択すればよい。原木丸太カプセルは単体活用また複数積み重ねて構造物を構築することもでき。陸上では原木丸太カプセル内に人体収容をすることは容易に可能になり被災者自らが日曜大工道具で屋外に家族の寝室を制作できる。被災者が手足を動かせば短時間で車中泊を解消することが可能である、室内において、原木丸太カプセルを構築しその延長線上は屋外方向に伸ばしておくと、屋外脱出が容易になる。また海上津波対策においては浮体構造物の多段カプセルブロック構造物（４面体、５面体の多段積固定が主）の下部段において４面体、５面体内部に緩衝材を収容すると浮力機能が増大し、万一原木丸太カプセル多段構造物最上階避難踊場に大多数の人員が避難しても、下部１，２段カプセルに収納した緩衝材（発泡スチロール、中空容器等）が上部踊り場に避難した被災者を救助することが可能となる。（原木丸太カプセルの巨大構造物は海面に浮くため）（請求項１〜６に対応）
【発明の効果】
【００１０】
自然災害時、人々は被災地を見つめ悲観的になるのは誰しも同じではあるが、なぜ家屋倒壊が起こり、悲しまなければならないかを、思考する機会とすべきであり、木造家屋建築の構造を見つめ直す機会とすべきである。家屋屋内空間に原木丸太カプセルで対応、万一の倒壊時には圧死を無くすカプセルを制作し従来助けることが不可能で、外部者が傍観していた状態から、被災者自らが屋外脱出可能なトンネル内機能を有する、トンネルが生まれる。陸海空の自然災害、人為災害に避難場所の提供と屋外において大多数の避難者が原木丸太カプセル内で安眠を得ることが可能となる。故に多額のお金を必要とせず、生活環境の改革を実践することが可能となる。（ここでは原木丸太支柱を強調しているが、原木丸太に限定するものでない）
【図面の簡単な説明】
【００１１】
【図１】原木丸太の斜視図である。
【図２】原木丸太カプセルの４面体素材配置の断面図である。
【図３】原木丸太カプセルの４面体配置平面図である。
【図４】原木丸太カプセルの配列断面図である。
【図５】原木丸太カプセルと４面体屋外方向通路の斜視図である。
【図６】原木丸太カプセル多段構造物である。
【発明を実施するための形態】
【００１２】
図１は原木丸太１の斜視図である。原木丸太１を任意の長さに輪切りした原木の一個の原木であり、一つの原木を軸として、原木丸太カプセル８を人体保全可能なカプセルにと展開する。
図２は原木丸太カプセル８の４面体カプセル８の素材断面図である。原木丸太８を並列に配置し、左右並列に原木丸太１の口径約３０ｃｍとすれば左右列の一方は７個で２ｍ１０ｃｍの長さを得ることが出来る。原木丸太１の底部面２と底部板に木工ボンドを塗装し、その後、釘打ち、木ネジ固定を施工する。次に原木丸太１の上部面３と上部面３の間に木工ボンドを塗装後、釘打ち、木ネジ固定を施工する。全ての、原木丸太１の上下部面２，３に固定板が施工完了後、原木丸太左側面５の側面板５を釘打ち固定を行う、右側面６も同じ工程固定を行い原木丸太カプセル８が完了する。尚防火対策、耐激対策を完璧に行うためには、原木丸太カプセル８の外面に防火材、防火シート、金属材で張り付けることで、強固な用途別のカプセルが制作できる。尚原木は円柱形であるため外部板を張り付けると、円柱原木と板との隙間が生まれるが、その空間が船倉機能有し海面浮上エネルギーとなる。
【００１３】
図３は原木丸太１の４面体カプセル８の平面図であり、原木丸太１を並列に並べ下部面２に床板１３、上部面３に天井板１４を固定すれば４面体の直方体トンネル９が形成される。
【００１４】
図４原木丸太１の４面体カプセル８の断面図であり、原木丸太１を立設して隙間なく並べ、下部面２には床板１３、上部面３には天井板１４を釘打ち、ネジ止めにて固定すると４面体カプセル８が形成される。
【００１５】
図５は４面体カプセル８を５個直列連結することにより、４面体カプセルトンネル８が直列に連結形成される、この４面体カプセルトンネル９の配置するところは、廊下、床下、各部屋に設置することで屋外方向に延長しておけば、家屋内より、緊急時に瞬時に屋外脱出する手段を可能にする。コイル発射、ワイヤー牽引、自己牽引などは屋外脱出に使用すると有効である（人体を収容するカプセルが形成されると尚有効であるが、ここでは人体収容のカプセルには追随しない）
【００１６】
図６は４、５面体カプセル８を複数用い多段構築物を構築した図であるが、４、５面体カプセル８内部空間に重要な機能があることについて説明する、まず家屋倒壊はなぜ起こるか、その要因は室内空間を設ける為、床下、天井裏、室内も空間だらけであり、空間は上部荷重を支える機能を有していない為、上部荷重素材は下部空間へと落下倒壊するのであって、空間が無く隙間がない場合家屋倒壊は起こらない。故に４、５面体カプセル８内部にも各種素材を隙間なく挿入すると多段構築物も壊れることはないが、すべてカプセルに挿入すると、使用活用（人命を収容する空間）が無くなるので、災害、仮設住宅、津波対応などを考慮して、災害多用途兼用多段構築物カプセルを構築すればよく固定作業手順に従って最終段階では、図６が示す通り、２８個の４，５原木丸太カプセル８による。多段構築物が形成される。すなわち一個の原木丸太カプセル８に一人が収容されたとすれば、２８人の寝室が確保できることとなる。４、５面体カプセルの長さを２倍延長すると５６人を収容でき、倍々ゲーム的に構築すれば、大規模簡易住宅が構築可能である。屋外のグランド、駐車場、民家の空き地など設置する場所を選定する必要がない。強風、台風水害、火災などの対策は多種多様な基礎固定工法で解決することが可能な原木丸太カプセルである。この原木カプセル８は屋外、室外を問わず応用範囲の展開で各種分野に利用することが出来る。
【符号の説明】
【００１７】
１    原木丸太
２    丸太下部面
３    丸太上部面
４    下部底部面
５    左側面板
６    右側面板
７    耐火素材
８    ４面体カプセル
９    ４面体直方トンネル
１０  人体
１１  前面扉
１２  後面扉
１３  床板
１４  天井板
【図１】
2017201096.tif 000003
【図２】
2017201096.tif 000004
【図３】
2017201096.tif 000005
【図４】
2017201096.tif 000006
【図５】
2017201096.tif 000007
【図６】
2017201096.tif 000008